(57)【要約】      （修正有）【課題】挟持片を退避させるための開口部を不要とする固定器具を提供する。【解決手段】取付穴の周縁部の表側ＦＳに当接するフランジ部１２を有する筐体１０と、筐体の側面に設けられた表裏方向進退孔２０と、表側の筐体内部側に設けられた支持貫通孔３０と、裏側の筐体内部側に設けられた支持部４０と、支持貫通孔にネジ部５２が遊貫するビス５０と、ビスに螺合され、フランジ部に対応して取付穴の周縁部の裏側ＢＳに当接する挟持片６０と、を備え、筐体を取付穴に挿入した後、挟持片を表裏方向進退孔に嵌入して側面から突出させ、先端部を支持部に係合することにより支持部が先端部を回転可能に支持し、ビスが回動された場合、表裏方向進退孔の縁により挟持片の連れ回りが規制されることにより、挟持片が表裏方向に進退するように構成され、挟持部は、ビスの回転により壁材の裏側まで移動し、フランジ部と壁材を挟持することで装置を固定する。【選択図】図３
0003228709.tif 000002
【実用新案登録請求の範囲】
【請求項１】
壁または天井に取り付ける装置を、壁材または天井材に形成された取付穴に表側から挿入し、壁または天井に固定するための固定器具であって、
表側に開口部と、前記開口部の端部に設けられ、前記取付穴の周縁部の表側に当接するためのフランジ部とを有し、前記装置を収納するための筐体と、
前記筐体の側面に設けられた表裏方向進退孔と、
前記表裏方向進退孔の表裏方向の表側であって前記筐体内部側に設けられた支持貫通孔と、
前記表裏方向進退孔の表裏方向の裏側であって前記筐体内部側に設けられた支持部と、
頭部を表側に向けて前記支持貫通孔にネジ部又は円筒部が遊貫するビスと、
前記支持貫通孔を挟んで前記頭部とは反対側に前記ビスに螺合され、前記フランジ部に対応して前記取付穴の周縁部の裏側に当接するための挟持片と、
を備え、
前記筐体を前記取付穴に挿入した後、前記挟持片を前記表裏方向進退孔に嵌入して前記側面から突出させ、前記ネジ部の先端部を前記支持部に係合することにより前記支持部が前記ビスの先端部を回転可能に支持し、
前記ビスが回動された場合、前記表裏方向進退孔の縁により前記挟持片の連れ回りが規制されることにより、前記挟持片が表裏方向に進退するように構成され、
前記挟持片は、前記ビスの回転により前記壁材または前記天井材の裏側まで移動し、前記フランジ部と前記壁材または前記天井材を挟持することで前記装置を固定する、
固定器具。
【請求項２】
前記装置は、調光器または照明器具であることを特徴とする請求項１に記載の固定器具。
【考案の詳細な説明】
【技術分野】
【０００１】
本考案は、壁または天井に取り付ける装置を、壁材または天井材に形成された取付穴に表側から挿入し、壁または天井に固定するための固定器具に関する。
【背景技術】
【０００２】
上記構成の固定器具や、このような固定器具を備えた配線ボックス等の装置として、以下に述べる技術が知られている。たとえば、特許文献１は、壁表側及び壁裏側において、それぞれ固定具本体の一対の挟持片鍔部、及び１ないし複数の挟持片により、壁材を挟持することで、当該壁材に固定具本体を取付ける構成の器具固定具おいて、前記挟持片の初期位置から挟持位置までの引寄せ距離を短くして、壁材に対して固定具本体を迅速に取付けられるようにする固定器具を開示する。この固定器具は、ボックス本体（固定具本体）に、挟持片を複数の異なる退避位置に配置可能な第１及び第２の各挟持片退避開口（挟持片退避部）が設けられることで、当該挟持片は、ビスの軸方向に沿って異なる位置に設けられた複数の退避位置において、前記ビスの回動により、退避位置から挟持可能位置まで連れ回り可能な構成とする。
【０００３】
また、特許文献２は、壁表側及び壁裏側において、それぞれボックス本体の一対の挟持鍔部、及び１ないし複数の挟持片により、壁材を挟持することで、当該壁材にボックス本体を取付ける構成の配線ボックスにおいて、前記挟持片の初期位置から挟持位置までの引寄せ距離を短くして、壁材に対してボックス本体を迅速に取付けられるようにする配線ボックスを開示する。この配線ボックスは、ボックス本体の側壁における底壁から離間した位置に、挟持片を退避位置に配置可能な単一の挟持片退避開口が設けられることで、当該挟持片は、ビスの回動により、退避位置から挟持可能位置まで連れ回り可能な構成とする。
【先行技術文献】
【特許文献】
【０００４】
【特許文献１】特開２０１７−０２８９６７号公報
【特許文献２】特開２０１７−０２８９６８号公報
【考案の概要】
【考案が解決しようとする課題】
【０００５】
上記いずれの技術においても、壁材または天井材に形成された取付穴に表側から配線ボックス等の装置を挿入する際に、壁材等の裏側に当接するための挟持片が当該取付穴の縁部に干渉しないようにするため、挟持片を退避させるための筐体の側面に開口部が必要となる。挟持片を表裏方向に進退させるための開口に加え、かかる開口部を設けることは、それだけで製造コストの増加に繋がると共に、筐体の強度を確保するために筐体の板厚や構造に検討が必要となり、全体的な製造コストに影響を及ぼすことになる。
そこで、本考案は、かかる事情に鑑みて考案されたものであり、挟持片を退避させるための開口部を不要とする固定器具を提供するものである。
【課題を解決するための手段】
【０００６】
上記課題を解決するために、壁または天井に取り付ける装置を、壁材または天井材に形成された取付穴に表側から挿入し、壁または天井に固定するための固定器具であって、表側に開口部と、その開口部の端部に設けられ、取付穴の周縁部の表側に当接するためのフランジ部とを有し、装置を収納するための筐体と、その筐体の側面に設けられた表裏方向進退孔と、その表裏方向進退孔の表裏方向の表側であって筐体内部側に設けられた支持貫通孔と、表裏方向進退孔の表裏方向の裏側であって筐体内部側に設けられた支持部と、頭部を表側に向けて支持貫通孔にネジ部又は円筒部が遊貫するビスと、支持貫通孔を挟んで頭部とは反対側にビスに螺合され、フランジ部に対応して取付穴の周縁部の裏側に当接するための挟持片と、を備え、筐体を取付穴に挿入した後、挟持片を表裏方向進退孔に嵌入して側面から突出させ、ネジ部の先端部を支持部に係合することにより支持部がビスの先端部を回転可能に支持し、ビスが回動された場合、表裏方向進退孔の縁により挟持片の連れ回りが規制されることにより、挟持片が表裏方向に進退するように構成され、挟持部は、ビスの回転により壁材または天井材の裏側まで移動し、フランジ部と壁材または天井材を挟持することで装置を固定する固定器具が提供される。
これによれば、頭部を表側に向けて支持貫通孔にネジ部又は円筒部が遊貫するビスを備え、筐体を取付穴に挿入した後、ビスに螺合された挟持片を表裏方向進退孔に嵌入して筐体の側面から突出させ、ネジ部の先端部を支持部に係合することにより支持部がビスの先端部を回転可能に支持するように構成することで、挟持片を退避させるための開口部を不要とする固定器具を提供することができる。
【０００７】
さらに、装置は、調光器または照明器具であることを特徴としてもよい。
これによれば、挟持片を退避させるための開口部を不要とする固定器具により、調光器や照明器具を壁面や天井面に取り付けることができる。
【考案の効果】
【０００８】
以上説明したように、本考案によれば、挟持片を退避させるための開口部を不要とする固定器具を提供することができる。
【図面の簡単な説明】
【０００９】
【図１】本考案に係る第一実施形態における固定器具の、（Ａ）正面図、（Ｂ）上面図、（Ｃ）右側面図。
【図２】本考案に係る第一実施形態における固定器具を壁に取り付ける場合を示す図。（Ａ）取り付け前の状態、（Ｂ）取り付け後の状態。
【図３】本考案に係る第一実施形態における固定器具を壁に取り付ける時の詳細を示す図。（Ａ−１）Ａ−Ａ断面において、挟持片を表裏方向進退孔に没入させて壁に筐体を挿入しようとしている状態、（Ａ−２）Ａ−Ａ断面において、壁の取付穴に挿入後ビスを持ち上げて挟持片を表裏方向進退孔に嵌入してネジ部の先端部を支持部に係合させようとしている状態、（Ｂ−２）Ｂ−Ｂ断面において、壁の取付穴に挿入後ビスを持ち上げて挟持片を表裏方向進退孔に嵌入してネジ部の先端部を支持部に係合させようとしている状態、（Ａ−３）Ａ−Ａ断面において、ビスの先端部を支持部に係合させた後ビスの回転により挟持片を壁裏に向かって移動させている状態、（Ｂ−３）Ｂ−Ｂ断面において、ビスの先端部を支持部に係合させた後ビスの回転により挟持片を壁裏に向かって移動させている状態、（Ａ−４）Ａ−Ａ断面において、ビスの回転により挟持片を壁裏に当接させた状態。
【考案を実施するための形態】
【００１０】
図１〜図３を参照し、第一実施形態における固定器具１００を説明する。固定器具１００は、調光器、照明、スイッチボックス、配線ボックス等の装置を壁または天井に取り付けるための器具である。これらの装置は、壁材ＷＬまたは天井材に形成された取付穴ＨＬに表側ＦＳから挿入し、壁材ＷＬまたは天井材の表側ＦＳと裏側ＢＳを挟み込んで固定することで、壁または天井に取り付けられる。
【００１１】
固定器具１００は、これらの装置を収納するための筐体１０と、筐体１０の側面に設けられた表裏方向進退孔２０と、表裏方向進退孔２０の表裏方向の表側ＦＳであって筐体１０の内部側に設けられた支持貫通孔３０と、表裏方向進退孔２０の表裏方向の裏側ＢＳであって筐体１０の内部側に設けられた支持部４０と、頭部５１を表側ＦＳに向けて支持貫通孔３０にネジ部５２が遊貫するビス５０と、取付穴ＨＬの周縁部の裏側ＢＳに当接するための挟持片６０と、を備える。
【００１２】
筐体１０は、正面視で矩形をなし、全体形状は概ね直方体の箱体である。筐体１０は、表側（正面側）に開口部１１と、開口部１１の上下の端部に設けられ、取付穴ＨＬの周縁部の表側に当接するためのフランジ部１２とを有する。箱体の内部は空洞になっており、調光器等の操作面や照明のライトを開口部１１から表出させて、調光器等の制御部品などを内部に収納するように構成されている。実際には調光器等を筐体１０に取り付けるための取付孔や取付片（図示せず）などが設けられている。本実施例では、上下のみにフランジ部１２が設けられているが、左右のみ、または上下左右の全周にフランジ部１２が設けられてもよい。また、本実施例では、正面視が矩形で全体形状が直方体の箱体から構成されているが、正面視が円形で全体形状が円筒形の円筒から構成されてもよい。
【００１３】
表裏方向進退孔２０は、フランジ部１２に対応して、筐体１０の上面と下面の側面に２か所ずつ設けられている。表裏方向進退孔２０は、筐体１０の側面に開けられた開口であり、この開口から挟持片６０が突出し表裏方向に移動（進退）するための形状と大きさを備える。表裏方向進退孔２０の正面側の縁とフランジ部１２の裏側までの距離（Ｌ１）は、フランジ部１２と挟持片６０で確実に固定できるようにするため、想定される壁材や天井材の最小厚さより小さいことが好ましい。
【００１４】
支持貫通孔３０は、それぞれの表裏方向進退孔２０に対応して、表裏方向進退孔２０の表裏方向の表側（正面側）であって筐体１０の内部（装置が収納される空間）側に設けられる。支持貫通孔３０は、後述するようにビス５０が螺合するのではなく少なくともビス５０の先端が上下方向などに動くように緩く嵌った状態でビス５０を貫通させて支持するので、少なくともビス５０のネジ部５２等の直径よりわずかに大きな直径を有し、好ましくは上下方向に長い楕円形を有する。支持貫通孔３０の直径は、ビス５０の頭部５１の直径より小さいことは言うまでもない。支持貫通孔３０は、かかる孔を形成した小片を筐体１０の内側に設けて構成される。
【００１５】
支持部４０（図３に図示される）は、表裏方向進退孔２０に対応して、表裏方向進退孔２０の表裏方向の裏側（背面側）であって筐体１０の内部側に設けられる。すなわち、支持部４０は、支持貫通孔３０に対応して、正面視で支持貫通孔３０とほぼ重なる位置に設けられる。支持貫通孔３０は、ビス５０の頭部５１に近い方のネジ部５２を支持し、支持部４０は、ネジ部５２の先端部５３を支持するように構成される。支持部４０は、支持貫通孔３０と同様ビス５０が螺合するのではなく、ネジ部５２の先端部５３と係合してビス５０の一端を支持する。支持部４０は、ビス５０の一端を支持するものであればよいので、支持貫通孔３０を形成する小片と同じ小片を用いて構成してもよい。
【００１６】
ビス５０は、ビス５０を回動できるように駆動部である頭部５１を表側（正面側）に向けて、ネジ部５２の頭部５１に近い部分が支持貫通孔３０に緩く嵌った状態で貫通（遊貫）し、ネジ部５２の先端部５３が支持部４０に係合されることにより、支持される。ビス５０は、頭部５１以外すべてネジ部５２で構成されてもよいが、支持貫通孔３０や支持部４０により支持される部分は、ネジを切っていなくともよく、単なる円筒部であってもよい。
【００１７】
挟持片６０は、フランジ部１２に対応して取付穴ＨＬの周縁部の裏側に当接して固定することにより、筐体１０に収容される装置を壁面等に取り付けるものである。挟持片６０は、支持貫通孔３０を挟んで頭部５１とは反対側でビス５０に螺合されている。ネジ部５２の先端部５３を支持部４０に係合させようとするまでは、挟持片６０が表裏方向進退孔２０より筐体１０の内側に没入した状態になるように、ビス５０は、支持貫通孔３０のみで支持されている。ビス５０の先端部５３を支持部４０に係合させると、挟持片６０は、表裏方向進退孔２０に嵌り入って（嵌入し）、筐体１０の側面から外側に突出する。この挟持片６０が突出した状態でビス５０を回転させると、挟持片６０は、表裏方向進退孔２０の縁により挟持片６０の連れ回りが規制されることにより裏側ＢＳに向かって移動されるように構成される。たとえば、頭部５１を右に回動すると、挟持片６０は壁材ＷＬの裏側ＢＳに向かって移動し、最終的には裏側ＢＳに当接してフランジ部１２と共に壁材ＷＬを挟み込むことで筐体１０が壁に固定される。挟持片６０は、固定された際にはフランジ部１２の高さとおよそ同じになるような高さを有することが好ましい。
【００１８】
図２と図３を参照し、固定器具１００を壁材ＷＬに開けられた取付穴ＨＬに取り付ける方法を説明する。固定器具１００は、壁材ＷＬの表側ＦＳから取り付けられる。取付穴ＨＬは、筐体１０よりわずかに大きく、フランジ部１２を含めた大きさよりは小さい穴として壁材ＷＬに形成される。図２（Ａ）に示すように、固定器具１００は、表側ＦＳの方（矢印の方向）へ筐体１０を押し込むように挿入される。その際、ビス５０は、挟持片６０が側面から突出しないように、先端部５３が筐体１０の中心方向へ向かうように傾けられている。そして、図２（Ｂ）に示すように、フランジ部１２が壁材ＷＬの表側ＦＳに当接するまで挿入した後、固定器具１００は、そのフランジ部１２と、ビス５０の頭部５１を回動して壁材ＷＬの裏側ＢＳまで移動させた挟持片６０とで、壁材ＷＬを挟み込むことで固定される。
【００１９】
図３は、図２（Ａ）の筐体１０を取付穴ＨＬに挿入する前の状態から、図２（Ｂ）の固定器具１００を固定した状態に至る過程を詳細に説明する図である。図３（Ａ−１）は、図２（Ａ）と同じ状態であり、表側ＦＳの方（矢印の方向）へ筐体１０を取付穴ＨＬに挿入する際、ビス５０は、挟持片６０が表裏方向進退孔２０から突出しないように、先端部５３が筐体１０の中心方向へ向かうように傾けられている。
【００２０】
図３（Ａ−２）に示すように、フランジ部１２が壁材ＷＬの表側ＦＳに当接するまで筐体１０を取付穴ＨＬに挿入した後、挟持片６０を表裏方向進退孔２０に嵌入して側面から突出させるように側面とビス５０が平行になる方向（矢印方向）にビス５０を持ちあげる。図３（Ｂ−２）に示すように、支持貫通孔３０に対応するように設けられた支持部４０にネジ部５２の先端部５３を係合する位置まで持ち上げる。そして、図３（Ｂ−３）に示すように、最後に頭部５１を背面側に押し込むことで、ネジ部５２の先端部５３を支持部４０に係合させる。これにより、支持部４０は、ビス５０の先端部５３を回転可能に支持する。
【００２１】
この状態において、ビス５０が回動された場合、表裏方向進退孔２０の一方の縁によりビス５０に螺合された挟持片６０の連れ回りが規制されることにより、図３（Ａ−３）に示すように、挟持片６０が表裏方向において壁材ＷＬの裏側ＢＳに近づくように（矢印方向）移動する。また、逆に回動すれば、挟持片６０は、表裏方向進退孔２０の他方の縁によりビス５０に螺合された挟持片６０の連れ回りが規制されることにより、表裏方向において壁材ＷＬの裏側ＢＳから離れるように移動する。このように、ビス５０が回動された場合、表裏方向進退孔２０の縁により挟持片６０の連れ回りが規制されることにより、挟持片６０が表裏方向に進退するように構成されている。
【００２２】
図３（Ａ−４）に示すように、挟持片６０は、ビス５０の回転により壁材ＷＬの裏側ＢＳまで移動し、フランジ部１２と壁材ＷＬを挟持することで、筐体１０すなわち筐体１０に収容された装置を壁材ＷＬに固定する。このように、頭部５１を表側ＦＳに向けて支持貫通孔３０にネジ部５２が遊貫するビス５０を備え、筐体１０を取付穴ＨＬに挿入した後、ビス５０に螺合された挟持片６０を表裏方向進退孔２０に嵌入して筐体１０の側面から突出させ、ネジ部５２の先端部５３を支持部４０に係合することにより支持部４０がビス５０の先端部５３を回転可能に支持するように構成することで、挟持片６０を退避させるための開口部を不要とする固定器具１００を提供することができる。また、このように挟持片６０を退避させるための開口部を不要とする固定器具１００により、調光器や照明器具を壁面や天井面に取り付けることができる。
【００２３】
なお、本考案は、例示した実施例に限定するものではなく、実用新案登録請求の範囲の各項に記載された内容から逸脱しない範囲の構成による実施が可能である。すなわち、本考案は、主に特定の実施形態に関して特に図示され、かつ説明されているが、本考案の技術的思想および目的の範囲から逸脱することなく、以上述べた実施形態に対し、数量、その他の詳細な構成において、当業者が様々な変形を加えることができるものである。
【符号の説明】
【００２４】
１００    固定器具
１０      筐体
１１      開口部
１２      フランジ部
２０      表裏方向進退孔
３０      支持貫通孔
４０      支持部
５０      ビス
５１      頭部
５２      ネジ部
５３      ネジ部先端部
６０      挟持片
ＷＬ        壁材
ＨＬ        取付穴
ＦＳ        表側
ＢＳ        裏側
【図１】
0003228709.tif 000003
【図２】
0003228709.tif 000004
【図３】
0003228709.tif 000005